(57)【要約】【課題】印刷した後の加工、特殊な眼鏡を用いることなく平面上に印刷された画像を立体的に見せる。【解決手段】一定方向に向いた状態で用紙４４に定着されたときには右目／左目のみで磁性材２２の色素を透過的に視認させる偏向性を有した部材とで形成された右目用／左目用偏向トナー部材で偏向トナーを形成する。プリンタ４の印刷制御処理部５０は、立体画像印刷データの各画素データに設定された偏向情報に基づき、用紙４４に通常のトナー又は立体画像データ処理部５４に偏向トナーを付着させる。仮定着ローラ５６で仮定着された偏向トナーは、融解後、磁界発生部５８から発生される磁力線に沿って一定方向に整列された後、定着ローラ６０で本定着される。右目用偏向トナー部材で形成された画像と、左目用偏向トナー部材で形成された画像とは若干ずれるために、両目で見たときには目の錯覚により立体的に見える。【選択図】        図１
2004287157.tif 000002
【特許請求の範囲】
【請求項１】
印刷媒体に定着されたときに、その定着された向きによって片目のみで視認できるような偏向性を有することを特徴とする偏向着色材。
【請求項２】
偏向着色材の色を決定する色素を有する右目用核部材と、
前記右目用核部材を被覆し、印刷媒体に定着されたときにその定着された向きによって右目のみで前記右目用核部材の色素を透過的に視認させる右目用偏向性フィルタと、
を有する右目用偏向着色部材と、
偏向着色材の色を決定する色素を有する左目用核部材と、
前記左目用核部材を被覆し、印刷媒体に定着されたときにその定着された向きによって左目のみで前記左目用核部材の色素を透過的に視認させる左目用偏向性フィルタと、
を有する左目用偏向着色部材と、
を有することを特徴とする偏向着色材。
【請求項３】
請求項２記載の偏向着色材において、
前記各核部材は、磁性部材を有しており、
外部から与えられる磁力によって印刷媒体上において一定方向に整列することを特徴とする偏向着色材。
【請求項４】
磁性部材及び偏向着色材の色を決定する色素を有する右目用核部材と、
前記右目用核部材を被覆し、印刷媒体に定着されたときにその定着された向きによって右目のみで前記右目用核部材の色素を透過的に視認させる右目用偏向性フィルタと、
を有する複数の右目用粒子状着色材部材を内部において可動可能に保持する右目用偏向着色部材と、
磁性部材及び偏向着色材の色を決定する色素を有する左目用核部材と、
前記左目用核部材を被覆し、印刷媒体に定着されたときにその定着された向きによって左目のみで前記左目用核部材の色素を透過的に視認させる左目用偏向性フィルタと、
を有する複数の左目用粒子状着色材部材を内部において可動可能に保持する左目用偏向着色部材と、
を有し、
前記各粒子状着色材部材は、磁化されることによって一定方向に整列されることを特徴とする偏向着色材。
【請求項５】
請求項１乃至４のいずれか１項に記載の偏向着色材において、
トナー又はインクであることを特徴とする偏向着色材。
【請求項６】
印刷媒体に着色材を定着させることで立体画像の印刷を行う立体画像印刷装置において、
立体物の撮像データに基づき生成された立体画像印刷データを解析することによって請求項２又は３に記載された偏向着色材の印刷位置を特定する立体画像印刷データ処理手段と、
前記立体画像印刷データ処理手段により特定された印刷媒体上の印刷位置に、前記偏向着色材を付着させることで印刷を行う印刷実行手段と、
を有し、印刷媒体上の印刷画像を両目共裸眼で見たときに立体画像と認識させることを特徴とする立体画像印刷装置。
【請求項７】
請求項６記載の立体画像印刷装置において、
前記印刷実行手段は、
前記立体画像印刷データ処理手段により特定された印刷媒体上の印刷位置に、前記偏向着色材を付着させ偏向着色材付着部と、
前記立体画像印刷データ処理手段により特定された印刷媒体上の印刷位置に、前記偏向着色材を付着させる偏向着色材付着部と、
前記立体画像印刷データ処理手段により特定された印刷媒体上の印刷位置に、偏向性を有していない着色材を付着させる着色材付着部と、
印刷媒体上の前記偏向着色材を仮定着する仮定着部と、
仮定着した偏向着色材を磁化することで偏向着色材の向く方向を一定方向に整列させる本定着部と、
を有することを特徴とする立体画像印刷装置。
【請求項８】
請求項６記載の立体画像印刷装置において、
前記立体画像印刷データ処理手段は、立体画像印刷データに含まれる偏向情報に基づいて前記右目用偏向着色材及び前記左目用偏向着色材を印刷媒体上に定着させる位置を特定することを特徴とする立体画像印刷装置。
【請求項９】
印刷媒体に着色材を定着させることで立体画像の印刷を行う立体画像印刷方法において、
立体物の撮像データに基づき生成された画像印刷データを解析することによって請求項２乃至５のいずれか１項に記載された偏向着色材の印刷位置を特定する位置特定ステップと、
前記位置特定ステップにより特定された印刷媒体上の印刷位置に、前記偏向着色材を付着させる偏向着色材付着ステップと、
印刷媒体上の前記偏向着色材を仮定着する仮定着ステップと、
仮定着した偏向着色材を磁化することで偏向着色材の向く方向を一定方向に整列させる本定着ステップと、
を含み、印刷媒体上の印刷画像を両目共裸眼で見たときに立体画像と認識させることを特徴とする立体画像印刷方法。
【請求項１０】
請求項９記載の立体画像印刷方法において、
前記位置特定ステップは、立体画像印刷データに含まれる偏向情報に基づいて前記右目用偏向着色材及び前記左目用偏向着色材を印刷媒体上に定着させる位置を特定することを特徴とする立体画像印刷方法。
【請求項１１】
印刷媒体に定着されたときに、両目で視認可能な通常フィルム部材と、
印刷媒体に定着されたときに、右目のみで視認できるような偏向性を有する右目用偏向フィルム部材と、
印刷媒体に定着されたときに、左目のみで視認できるような偏向性を有する左目用偏向フィルム部材と、
を有することを特徴とする偏向熱転写フィルム。
【請求項１２】
請求項１１記載の偏向熱転写フィルムにおいて、
前記各偏向フィルム部材は、無着色部材であることを特徴とする偏向熱転写フィルム。
【請求項１３】
印刷媒体に熱転写フィルムを転写することで立体画像の印刷を行う立体画像印刷装置において、
立体物の撮像データに基づき生成された立体画像印刷データを解析することによって請求項１１又は１２に記載された偏向熱転写フィルムの印刷位置を特定する立体画像印刷データ処理手段と、
前記立体画像印刷データ処理手段により特定された印刷媒体上の印刷位置に、前記偏向熱転写フィルムを転写する偏向熱転写フィルム転写手段と、
前記立体画像印刷データ処理手段により特定された印刷媒体上の印刷位置に、偏向性を有していない熱転写フィルムを転写する熱転写フィルム転写手段と、
を有し、印刷媒体上の印刷画像を両目共裸眼で見たときに立体画像と認識させることを特徴とする立体画像印刷装置。
【請求項１４】
請求項１３記載の立体画像印刷装置において、
前記立体画像印刷データ処理手段は、立体画像印刷データに含まれる偏向情報に基づいて前記偏向熱転写フィルムを構成する右目用偏向フィルム部材及び左目用偏向フィルム部材を印刷媒体上に転写させる位置を特定することを特徴とする立体画像印刷装置。
【請求項１５】
請求項１４記載の立体画像印刷装置において、
前記立体画像印刷データ処理手段は、印刷媒体上の着色すべき画素位置のうち、立体画像印刷データに偏向情報が設定された画素データに対応する画素位置に前記偏向熱転写フィルムを、そうでない画素位置に偏向性を有していない熱転写フィルムを、前記各フィルム転写手段に転写させることを特徴とする立体画像印刷装置。
【請求項１６】
請求項１４記載の立体画像印刷装置において、
前記立体画像印刷データ処理手段は、印刷媒体上の着色すべき画素位置全体に偏向性を有していない熱転写フィルムを転写させた後、立体画像印刷データに偏向情報が設定された画素データに対応する画素位置に無着色材である偏向熱転写フィルムを重畳させて転写させることを特徴とする立体画像印刷装置。
【請求項１７】
熱転写フィルムを印刷することで印刷媒体に立体画像を形成する立体画像印刷方法において、
送られてきた印刷すべき立体画像印刷データを解析することによって請求項１１又は１２に記載された熱転写フィルムの印刷位置及び偏向性を有していない熱転写フィルムの印刷位置を特定する位置特定ステップと、
前記位置特定ステップにより特定された印刷媒体上の印刷位置に、前記各フィルムを印刷する印刷ステップと、
を含み、印刷媒体上の印刷画像を両目共裸眼で見たときに立体画像と認識させることを特徴とする立体画像印刷方法。
【請求項１８】
請求項１７記載の立体画像印刷方法において、
前記位置特定ステップは、立体画像印刷データに含まれる偏向情報に基づいて前記右目用偏向着色材及び前記左目用偏向着色材を印刷媒体上に定着させる位置を特定することを特徴とする立体画像印刷方法。
【請求項１９】
請求項１７記載の立体画像印刷方法において、
前記位置特定ステップは、印刷媒体上の着色すべき画素位置のうち、立体画像印刷データに偏向情報が設定された画素データに対応する画素位置に前記偏向熱転写フィルムを、そうでない画素位置に偏向性を有していない熱転写フィルムを転写するようにそれぞれの印刷位置を決めることを特徴とする立体画像印刷方法。
【請求項２０】
請求項１７記載の立体画像印刷方法において、
前記印刷ステップは、
前記位置特定ステップにより特定された印刷位置に従い、印刷媒体上の着色すべき画素位置全体に偏向性を有していない熱転写フィルムを転写するステップと、
立体画像印刷データに偏向情報が設定された画素データに対応する画素位置に無着色材である偏向熱転写フィルムを重畳させて転写するステップと、
を含むことを特徴とする立体画像印刷方法。
【請求項２１】
右目で立体の被写体を見たときの撮像データを収集する右目対応撮像手段と、
左目で被写体を見たときの撮像データを収集する左目対応撮像手段と、
前記各撮像手段が撮像した撮像データを合成することによって立体画像印刷データを生成する立体画像印刷データ生成手段と、
を有し、
前記立体画像印刷データ生成手段は、前記右目対応撮像手段に撮像された撮像データのみに基づき印刷される位置及び前記左目対応撮像手段に撮像された撮像データのみに基づき印刷される位置それぞれに対応する画素に対して印刷するための指示に、右目用又は左目用を識別する偏向情報を含ませて立体画像印刷データを生成することを特徴とする立体画像印刷データ生成装置。
【請求項２２】
右目及び左目で立体の被写体を見たときの撮像データを収集する撮像データ収集ステップと、
各撮像データをラスタライズすることによって各目対応の印刷データを生成すると共に、被写体を立体に見せるための付加データを付加する編集を各印刷データに行う印刷データ生成ステップと、
前記各目対応の印刷データを合成することで立体画像印刷データを生成する立体画像印刷データ生成するステップと、
を含み、
前記立体画像印刷データ生成ステップは、右目対応の撮像データのみに基づき付加された付加データ及び左目対応の撮像データのみに基づき付加された付加データそれぞれに対応する画素データに、右目用又は左目用を識別する偏向情報を含ませて立体画像印刷データを生成することを特徴とする立体画像印刷データ生成方法。
【発明の詳細な説明】
【０００１】
【発明の属する技術分野】
本発明は、平面上に印刷された画像を立体的に見せる技術に関する。
【０００２】
【従来の技術】
従来から、印刷用紙などの平面上に印刷した画像を立体的に見せるために、例えば、印刷済みの用紙上に偏向フィルタ等の機能を持ったフィルムを貼り付けて、左右の目で見える状態を変えて立体的に見せる技術がある（例えば、特許文献１）。また、立体に見せたい画像を二重にずらして印刷し、その印刷物専用の特殊な眼鏡を装着させることで、立体的に見せる方法があった。更に、印刷物に物理的な凹凸を実際につけて立体化する方法があった。
【０００３】
【特許文献１】
特開平１１−１９２６９６号公報
【０００４】
【発明が解決しようとする課題】
しかしながら、従来のいずれの方法も、印刷した後に印刷物に対して何らかの加工を施す作業が必要であったり、あるいは特殊な眼鏡が必要であった。
【０００５】
本発明は以上のような問題を解決するためになされたものであり、印刷した後に何らかの加工を施す必要なく、また、特殊な眼鏡などの物品を用いることなく平面上に印刷された画像を立体的に見せることのできるようにすることを目的とし、この目的を達成することのできる偏向着色材、偏向熱転写フィルム、立体画像印刷装置、立体画像印刷方法、立体画像印刷データ生成装置及び立体画像印刷データ生成方法を提供することにある。
【０００６】
【課題を解決するための手段】
以上のような目的を達成するために、本発明に係る偏向着色材は、印刷媒体に定着されたときに、その定着された向きによって片目のみで視認できるような偏向性を有することを特徴とする。
【０００７】
他の発明に係る偏向着色材は、偏向着色材の色を決定する色素を有する右目用核部材と、前記右目用核部材を被覆し、印刷媒体に定着されたときにその定着された向きによって右目のみで前記右目用核部材の色素を透過的に視認させる右目用偏向性フィルタとを有する右目用偏向着色部材と、偏向着色材の色を決定する色素を有する左目用核部材と、前記左目用核部材を被覆し、印刷媒体に定着されたときにその定着された向きによって左目のみで前記左目用核部材の色素を透過的に視認させる左目用偏向性フィルタとを有する左目用偏向着色部材とを有することを特徴とする。
【０００８】
また、前記各核部材は、磁性部材を有しており、外部から与えられる磁力によって印刷媒体上において一定方向に整列することを特徴とする。
【０００９】
他の発明に係る偏向着色材は、磁性部材及び偏向着色材の色を決定する色素を有する右目用核部材と、前記右目用核部材を被覆し、印刷媒体に定着されたときにその定着された向きによって右目のみで前記右目用核部材の色素を透過的に視認させる右目用偏向性フィルタとを有する複数の右目用粒子状着色材部材を内部において可動可能に保持する右目用偏向着色部材と、磁性部材及び偏向着色材の色を決定する色素を有する左目用核部材と、前記左目用核部材を被覆し、印刷媒体に定着されたときにその定着された向きによって左目のみで前記左目用核部材の色素を透過的に視認させる左目用偏向性フィルタとを有する複数の左目用粒子状着色材部材を内部において可動可能に保持する左目用偏向着色部材とを有し、前記各粒子状着色材部材は、磁化されることによって一定方向に整列されることを特徴とする。
【００１０】
また、上記各発明における偏向着色材は、トナー又はインクであることを特徴とする。
【００１１】
本発明に係る立体画像印刷装置は、印刷媒体に着色材を定着させることで立体画像の印刷を行う立体画像印刷装置において、立体物の撮像データに基づき生成された立体画像印刷データを解析することによって請求項２又は３に記載された偏向着色材の印刷位置を特定する立体画像印刷データ処理手段と、前記立体画像印刷データ処理手段により特定された印刷媒体上の印刷位置に、前記偏向着色材を付着させることで印刷を行う印刷実行手段とを有し、印刷媒体上の印刷画像を両目共裸眼で見たときに立体画像と認識させることを特徴とする。
【００１２】
また、前記印刷実行手段は、前記立体画像印刷データ処理手段により特定された印刷媒体上の印刷位置に、前記偏向着色材を付着させ偏向着色材付着部と、前記立体画像印刷データ処理手段により特定された印刷媒体上の印刷位置に、前記偏向着色材を付着させる偏向着色材付着部と、前記立体画像印刷データ処理手段により特定された印刷媒体上の印刷位置に、偏向性を有していない着色材を付着させる着色材付着部と、印刷媒体上の前記偏向着色材を仮定着する仮定着部と、仮定着した偏向着色材を磁化することで偏向着色材の向く方向を一定方向に整列させる本定着部とを有することを特徴とする。
【００１３】
また、前記立体画像印刷データ処理手段は、立体画像印刷データに含まれる偏向情報に基づいて前記右目用偏向着色材及び前記左目用偏向着色材を印刷媒体上に定着させる位置を特定することを特徴とする。
【００１４】
本発明に係る立体画像印刷方法は、印刷媒体に着色材を定着させることで立体画像の印刷を行う立体画像印刷方法において、立体物の撮像データに基づき生成された画像印刷データを解析することによって上記に記載された偏向着色材の印刷位置を特定する位置特定ステップと、前記位置特定ステップにより特定された印刷媒体上の印刷位置に、前記偏向着色材を付着させる偏向着色材付着ステップと、印刷媒体上の前記偏向着色材を仮定着する仮定着ステップと、仮定着した偏向着色材を磁化することで偏向着色材の向く方向を一定方向に整列させる本定着ステップとを含み、印刷媒体上の印刷画像を両目共裸眼で見たときに立体画像と認識させることを特徴とする。
【００１５】
また、前記位置特定ステップは、立体画像印刷データに含まれる偏向情報に基づいて前記右目用偏向着色材及び前記左目用偏向着色材を印刷媒体上に定着させる位置を特定することを特徴とする。
【００１６】
本発明に係る偏向熱転写フィルムは、印刷媒体に定着されたときに、両目で視認可能な通常フィルム部材と、印刷媒体に定着されたときに、右目のみで視認できるような偏向性を有する右目用偏向フィルム部材と、印刷媒体に定着されたときに、左目のみで視認できるような偏向性を有する左目用偏向フィルム部材とを有することを特徴とする。
【００１７】
また、前記各偏向フィルム部材は、無着色部材であることを特徴とする。
【００１８】
他の発明に係る立体画像印刷装置は、印刷媒体に熱転写フィルムを転写することで立体画像の印刷を行う立体画像印刷装置において、立体物の撮像データに基づき生成された立体画像印刷データを解析することによって上記に記載された偏向熱転写フィルムの印刷位置を特定する立体画像印刷データ処理手段と、前記立体画像印刷データ処理手段により特定された印刷媒体上の印刷位置に、前記偏向熱転写フィルムを転写する偏向熱転写フィルム転写手段と、前記立体画像印刷データ処理手段により特定された印刷媒体上の印刷位置に、偏向性を有していない熱転写フィルムを転写する熱転写フィルム転写手段とを有し、印刷媒体上の印刷画像を両目共裸眼で見たときに立体画像と認識させることを特徴とする。
【００１９】
また、前記立体画像印刷データ処理手段は、立体画像印刷データに含まれる偏向情報に基づいて前記偏向熱転写フィルムを構成する右目用偏向フィルム部材及び左目用偏向フィルム部材を印刷媒体上に転写させる位置を特定することを特徴とする。
【００２０】
また、前記立体画像印刷データ処理手段は、印刷媒体上の着色すべき画素位置のうち、立体画像印刷データに偏向情報が設定された画素データに対応する画素位置に前記偏向熱転写フィルムを、そうでない画素位置に偏向性を有していない熱転写フィルムを、前記各フィルム転写手段に転写させることを特徴とする。
【００２１】
また、前記立体画像印刷データ処理手段は、印刷媒体上の着色すべき画素位置全体に偏向性を有していない熱転写フィルムを転写させた後、立体画像印刷データに偏向情報が設定された画素データに対応する画素位置に無着色材である偏向熱転写フィルムを重畳させて転写させることを特徴とする。
【００２２】
他の発明に係る立体画像印刷方法は、熱転写フィルムを印刷することで印刷媒体に立体画像を形成する立体画像印刷方法において、送られてきた印刷すべき立体画像印刷データを解析することによって上記に記載された熱転写フィルムの印刷位置及び偏向性を有していない熱転写フィルムの印刷位置を特定する位置特定ステップと、前記位置特定ステップにより特定された印刷媒体上の印刷位置に、前記各フィルムを印刷する印刷ステップとを含み、印刷媒体上の印刷画像を両目共裸眼で見たときに立体画像と認識させることを特徴とする。
【００２３】
また、前記位置特定ステップは、立体画像印刷データに含まれる偏向情報に基づいて前記右目用偏向着色材及び前記左目用偏向着色材を印刷媒体上に定着させる位置を特定することを特徴とする。
【００２４】
また、前記位置特定ステップは、印刷媒体上の着色すべき画素位置のうち、立体画像印刷データに偏向情報が設定された画素データに対応する画素位置に前記偏向熱転写フィルムを、そうでない画素位置に偏向性を有していない熱転写フィルムを転写するようにそれぞれの印刷位置を決めることを特徴とする。
【００２５】
また、前記印刷ステップは、前記位置特定ステップにより特定された印刷位置に従い、印刷媒体上の着色すべき画素位置全体に偏向性を有していない熱転写フィルムを転写するステップと、立体画像印刷データに偏向情報が設定された画素データに対応する画素位置に無着色材である偏向熱転写フィルムを重畳させて転写するステップとを含むことを特徴とする。
【００２６】
本発明に係る立体画像印刷データ生成装置は、右目で立体の被写体を見たときの撮像データを収集する右目対応撮像手段と、左目で被写体を見たときの撮像データを収集する左目対応撮像手段と、前記各撮像手段が撮像した撮像データを合成することによって立体画像印刷データを生成する立体画像印刷データ生成手段とを有し、前記立体画像印刷データ生成手段は、前記右目対応撮像手段に撮像された撮像データのみに基づき印刷される位置及び前記左目対応撮像手段に撮像された撮像データのみに基づき印刷される位置それぞれに対応する画素に対して印刷するための指示に、右目用又は左目用を識別する偏向情報を含ませて立体画像印刷データを生成することを特徴とする。
【００２７】
本発明に係る立体画像印刷データ生成方法は、右目及び左目で立体の被写体を見たときの撮像データを収集する撮像データ収集ステップと、各撮像データをラスタライズすることによって各目対応の印刷データを生成すると共に、被写体を立体に見せるための付加データを付加する編集を各印刷データに行う印刷データ生成ステップと、前記各目対応の印刷データを合成することで立体画像印刷データを生成する立体画像印刷データ生成するステップとを含み、前記立体画像印刷データ生成ステップは、右目対応の撮像データのみに基づき付加された付加データ及び左目対応の撮像データのみに基づき付加された付加データそれぞれに対応する画素データに、右目用又は左目用を識別する偏向情報を含ませて立体画像印刷データを生成することを特徴とする。
【００２８】
【発明の実施の形態】
以下、図面に基づいて、本発明の好適な実施の形態について説明する。なお、実施の形態１と同じ構成要素には、同じ符号を付け説明を省略する。
【００２９】
実施の形態１．
図１は、本発明に係る立体画像印刷データ生成装置及び立体画像印刷装置の一実施の形態を有するネットワークシステムの概略的な全体構成図である。図１には、立体画像印刷データ生成装置２と立体画像印刷装置に相当するネットワーク対応プリンタ（以下、単に「プリンタ」）４と、パーソナルコンピュータ（ＰＣ）６と、これらを接続するネットワーク８が示されている。この構成において、立体画像印刷データ生成装置２は、右目対応カメラ１０及び左目対応カメラ１２によりそれぞれ撮像されたデータを編集することで立体画像を印刷するために立体画像印刷データを生成する。ＰＣ６は、立体画像印刷データ生成装置２により生成された立体画像印刷データを含む印刷要求をプリンタ４へ送信する。プリンタ４は、ＰＣ６からの印刷要求に応じて印刷を実行する。
【００３０】
なお、図１では、立体画像印刷データ生成装置２をネットワーク８に接続したが、必ずしもネットワーク８に接続する必要はない。また、立体画像印刷データの生成する処理機能と立体画像印刷データを含む印刷要求を発行する処理機能とをそれぞれ異なるコンピュータ２，６に搭載するようにしたが、立体画像印刷データの生成処理機能は、アプリケーションによって実現されることから、ＰＣ６にその生成処理機能を搭載し、また、各カメラ１０，１２を接続することでそのＰＣ６を立体画像印刷データ生成装置として機能させることができる。
【００３１】
まず、最初に本実施の形態の基本的な特徴事項について説明すると、従来では、印刷された画像を立体的に見せるために印刷物に対して特殊な加工を施したり、専用の眼鏡を必要としていたところを、本実施の形態においては、用紙上に定着される部材、すなわち本実施の形態の特徴の一つである偏向トナーを用いることによって特殊な加工や眼鏡を用いなくても用紙上の画像を立体的に見せることができるようにすることを特徴としている。この本実施の形態において用いる偏向トナーの概念図を図２，３に示す。
【００３２】
図２には、右目用偏向トナー部材の側面図と正面図とが示されており、図３には、左目用偏向トナー部材の側面図が示されている。左目用偏向トナー部材の正面図は、右目用偏向トナー部材と同じになるため、図３から省略した。右目用偏向トナー部材２０は、核を形成する磁性材２２と、磁性材２２を被覆する右目用偏向性フィルタ２４とを有している。一般に、カラープリンタのトナーは、イエロー（Ｙ）、マゼンタ（Ｍ）、シアン（Ｃ）、黒（Ｋ）を基本色としているので、磁性材２２は、いずれかの色素で着色されている。また、詳細は後述するが、右目用偏向トナー部材２０は、用紙上において磁力が与えられると、その磁力線に沿って一定方向を向くことになるが、右目用偏向性フィルタ２４は、その一定方向に向いた状態で用紙に定着されたときには右目のみで磁性材２２を透過的に視認させる偏向性を有した部材で形成される。図２においては、右目用偏向性フィルタ２４の偏向性を斜線によって模式的に示している。図２に示したように、右目による視線方向を示す矢印Ｒ方向から右目用偏向トナー部材２０を見たときには磁性材２２を着色した色素を視認することができるが、左目による視線方向を示す矢印Ｌ方向から見ると右目用偏向性フィルタ２４の偏向性により磁性材２２を着色した色素を視認することはできない。
【００３３】
図３に示した左目用偏向トナー部材２６は、右目用偏向トナー部材２０と基本的な構造は同じで、着色された磁性材２２と、磁性材２２を被覆する左目用偏向性フィルタ２８とを有している。左目用偏向性フィルタ２８は、右目用偏向性フィルタ２４とは正反対の偏向性を有しており、右目用偏向トナー部材２０と同一磁界内において一定方向に向いた状態で用紙に定着されたときには左目のみで磁性材２２を透過的に視認させる偏向性を有した部材で形成される。従って、図３に示したように、左目による視線方向を示す矢印Ｌ方向から左目用偏向トナー部材２６を見たときには磁性材２２を着色した色素を視認することができるが、右目による視線方向を示す矢印Ｒ方向から見ると、左目用偏向性フィルタ２８の偏向性により磁性材２２を着色した色素を視認することはできない。
【００３４】
このようにして、右目用偏向トナー部材２０と左目用偏向トナー部材２６とは、形成されるが、通常は、各色につき右目用偏向トナー部材２０と左目用偏向トナー部材２６とを組にして用意することになる。カラープリンタの場合は、イエロー（Ｙ）、マゼンタ（Ｍ）、シアン（Ｃ）、黒（Ｋ）の４色について右目用と左目用の各トナー部材２０，２６を用意する必要があるので、カラー印刷時には８種類のトナー部材を用いることになる。これら各色のトナー部材によって本実施の形態における偏向トナーは構成される。
【００３５】
なお、本実施の形態においては、磁性材２２自体に着色を施したが、着色された部材を磁性材２２の周囲に巻き付けることで、各偏向トナー部材２０，２６の色を出させるようにしてもよい。また、以上の説明から明らかなように、右目用偏向トナー部材２０は右目のみでその色素を視認でき、左目用偏向トナー部材２６は左目のみでその色素を視認できるように構成すればよいので、磁界内において一定方向に向かせるために設けられる磁性材自体は、各偏向性フィルタ２４，２８の部材によって完全に内包される必要はない。
【００３６】
また、偏向トナー部材２０，２６は、図２，３に例示したように円柱形状である必要はなく、図４，５に示したように球状であってもよい。更に、図６に示したように、図２に示した右目用偏向トナー部材２０を複数の内部に含むようにして右目用偏向トナー部材３０を形成してもよい。この場合の右目用偏向トナー部材２０は、右目用偏向トナー部材３０における一つの粒子状トナー部材であり、その内部において可動可能に保持される。従って、用紙への定着前であれば、図６（ａ）に示したように向きは不規則であってよく、用紙上において磁力が与えられると、図６（ｂ）に示したように、各右目用偏向トナー部材２０はその磁力線に沿って一定方向を向くことになる。なお、図６では、右目用を例に図示したが、左目用においても偏向性が異なるだけでその他の構成、作用は同じなので説明並びに図を省略する。
【００３７】
ここで、前述した偏向トナーを用いた印刷物について図７を用いて簡単に説明する。図７（ａ）は、印刷対象となる物体であり、カメラ１０，１２によって撮像される立体の被写体３２の外観図である。立体画像印刷データ生成装置２は、カメラ１０，１２によって撮像された被写体３２の撮像データに基づき立体画像印刷データを生成し、プリンタ４は、生成された立体画像印刷データに基づき印刷を実行することになるが、プリンタ４は、図７（ｃ）のようなパターンで印刷を行う。すなわち、被写体３２と合致する領域３４に対しては従来からある偏向性を有しない通常のトナーで印刷し、その通常のトナーで印刷する領域（以下、「通常印刷領域」）３４の右側の領域（以下、「右偏向印刷領域」）３４ｒに右目用偏向トナー部材２０を印刷し、一方、通常印刷領域３４の左側の領域（以下、「左偏向印刷領域」）３４ｌに左目用偏向トナー部材２６を印刷する。なお、図７（ｃ）は、実際の印刷した結果であって視認された状態を示していない。この図７（ｃ）に示した印刷物を右目だけで見ると、右目では左目用偏向トナー部材２６を視認することはできないので、図７（ｄ）に示したように見えるはずである。一方、図７（ｃ）に示した印刷物を左目だけで見ると、左目では右目用偏向トナー部材２０を視認することはできないので、図７（ｂ）に示したように見えるはずである。そして、図７（ｃ）に示した印刷物を両目で見ると、目の錯覚により図７（ａ）に示した被写体３２と同等に立体的に見えることになる。本実施の形態は、偏向性を有する偏向トナーを用いて印刷を行うことで目の錯覚を利用し、印刷物に対する特殊な加工や専用の眼鏡を用いることなく、平面上に印刷された被写体３２の印刷物を立体視させることができる。
【００３８】
図１に戻り、プリンタ４の構成について説明する。図１において、搬送ローラ４２は、印刷するために用紙４４を筐体の内部に取り込み、搬送ローラ４６は、印刷後の用紙４４を筐体の外へ搬出する。なお、図１では、筐体内の搬送路がわかるように用紙４４を便宜的に１枚でかつ直線的に示した。通信処理部４８、ネットワーク８を介して送られてくる印刷要求を受信する。印刷制御処理部５０は、送られてきた印刷要求に基づき、搬送ローラ４２，４６等による搬送機構、後述する偏向トナー付着部５２を含む印刷機構などプリンタ４内の各部の動作制御を行いながら印刷を実行する。偏向トナー付着部５２は、印刷制御処理部５０の立体画像データ処理部５４における制御に従い偏向トナーを用紙４４に付着させる。前述したように色毎に右目用と左目用の偏向トナーが用意されるので、偏向トナー付着部５２には、各トナーカートリッジ５２ａ〜５２ｈが設けられている。仮定着ローラ５６は、用紙４４に付着した偏向トナーを仮定着する。磁界発生部５８は、定着ローラ６０の直前で磁界を発生させて用紙４４に仮定着されている偏向トナーの向きを整列させる。定着ローラ６０は、整列された偏向トナーを用紙４４に定着させる。本実施の形態におけるプリンタ４は、偏向トナーを用いて用紙４４に印刷することによって特殊な加工や専用の眼鏡を用いることなく印刷された被写体を立体的に見せることをできるようにしたことを特徴としており、そのために立体画像データ処理部５４を設け、また、偏向トナー付着部５２、仮定着ローラ５６、磁界発生部５８及び定着ローラ６０を所定の位置に配設した。図１には、通信処理部４８や搬送ローラ４２，４６を示したが、図示していないその他の構成、例えば通常のトナーを用いる印刷機構や定着機構等の構成は、従来からある構成をそのまま利用することができる。
【００３９】
本実施の形態におけるプリンタ４は、印刷要求に含まれている立体画像印刷データに基づいて印刷を実行するが、ここで、立体画像印刷データを生成する立体画像印刷データ生成装置２におけるデータ生成処理について図８に示したフローチャートを用いて説明する。
【００４０】
立体画像印刷の対象として、例えば、図７（ａ）に示した被写体３２とした場合、右目対応カメラ１０及び左目対応カメラ１２で、図９に示したようにそれぞれの右目方向及び左目方向から撮像する。立体画像印刷データ生成装置２は、それぞれのカメラ１０，１２によって撮像されたデータが入力されると（ステップ１０１）、それぞれの撮像データをラスタライズデータに変換することで印刷可能な印刷データを生成する（ステップ１０２）。このとき、平面上に印刷する被写体３２の画像を立体的に見せるために、右目用の撮像データであれば、被写体３２の右側部分を右側に多少ずらす。そのずらした分、被写体の撮像部分からはみ出すことになるが、これを印刷データに付加する編集を行う。より具体的に言うと、右目対応カメラ１０で被写体３２を撮像した被写体３２は、図７（ａ）のように写るが、被写体３２を多少ずらして印刷データに情報付加する部分というのは、図７（ｄ）の右偏向印刷領域３４ｒに合致する。この実際に撮像した被写体３２の画像からずらす量は、予め決められている規則に従う。左目側についても同じように情報付加処理を行う。
【００４１】
そして、各印刷データにおいて被写体３２の輪郭を抽出し（ステップ１０３）、更に抽出した印刷データの中核部分を抽出する（ステップ１０４）。この例では、被写体３２が円柱形状であり、左右双方から見ても同じ形状であるため特徴点が特に明確に現れてこないので被写体全体が中核部分になる。ここまでの処理は、左右それぞれにおいて独立に行われる。当然ながら各ステップにおいて左右どちらを先に処理してもよい。立体画像印刷データ生成装置２は、抽出した左右それぞれの中核部分を重畳させることで左右それぞれの印刷データから一つの立体画像印刷データを生成する（ステップ１０５）。
【００４２】
立体画像印刷データ生成装置２は、以上のような画像処理、データ編集処理を行うことで立体画像印刷データを生成するが、ここで、本実施の形態における立体画像印刷データのデータ構成について図１０を用いて説明する。
【００４３】
立体画像印刷データは、ラスタライズされたビットマップデータであり、図１０では、これをｍ×ｎ個の画素データの集合として示している。立体画像印刷データを形成する一つの画素データは、各画素に割り当てられた配色、輝度等を示す色情報や用紙へトナーを付着させる量などが従来と同様に設定されるが、本実施の形態においては、更に用紙へ付着させる偏向トナー部材の右目用あるいは左目用の別を指定する偏向情報が設定される。例えば、図７（ｄ）における右偏向印刷領域３４ｒに対応する位置の画素データの偏向情報には右目用と設定され、図７（ｂ）における左偏向印刷領域３４ｌに対応する位置の画素データの偏向情報には左目用と設定されることになる。本実施の形態では、右目用又は左目用というフラグ情報を偏向情報に設定することで右目用又は左目用の偏向トナーを明示的に指定し、何も設定しないことで偏向性を有しない通常のトナーを指定するようにしたが、右目用又は左目用という情報に加えて通常のトナーを印刷に用いるということを偏向情報に明示的に指定するようにしてもよい。
【００４４】
続いて、立体画像印刷データ生成装置２が生成した立体画像印刷データに基づき立体画像の印刷を実行するプリンタ４の動作について説明する。
【００４５】
印刷制御処理部５０は、通信処理部４８が受信した印刷要求を受け取ると、その印刷要求に含まれている立体画像印刷データに基づき印刷を実行する。すなわち、印刷制御処理部５０は、立体画像印刷データに含まれている画素データの設定内容を参照に、偏向トナー付着部５２あるいは通常のトナーを付着させる通常トナー付着部（図示せず）に指示を出すことによって、対応する用紙上のドット位置にトナーを付着させるあるいはトナーを付着させないわけであるが、トナーを付着させる必要があるとき、画素データの色情報に基づきトナー色を決定すると共に偏向情報に基づき使用するトナーを決定する。プリンタ４は、図７（ａ）に例示した被写体３２に対し、図７（ｃ）に示した画像を実際に印刷するわけであるが、画素データに偏向情報が設定されていないとき、印刷制御処理部５０は、通常トナー付着部に、指定された量で指定された色のトナーを用紙４４に付着させる。この通常トナー付着部によってトナーが付着される領域は、通常印刷領域３４である。また、画素データに右目用を示す偏向情報が設定されていたとき、印刷制御処理部５０は、偏向トナー付着部５２に、指定された量で指定された色の右目用偏向トナー部材２０を用紙４４に付着させる。例えば、画素データの色情報にイエローと指定されていれば、対応するトナーカートリッジ５２ａが印刷に用いられることになる。この偏向トナー付着部５２によって偏向トナーが付着される領域は、右偏向印刷領域３４ｒである。同様に、画素データに左目用を示す偏向情報が設定されていたとき、印刷制御処理部５０は、偏向トナー付着部５２に、指定された量で指定された色の左目用偏向トナー部材２６を用紙４４に付着させる。例えば、画素データの色情報にシアンと指定されていれば、対応するトナーカートリッジ５２ｅが印刷に用いられることになる。この偏向トナー付着部５２によって偏向トナーが付着される領域は、左偏向印刷領域３４ｌである。
【００４６】
このようにして、用紙４４に偏向トナーが付着されるが、粉末状の偏向トナーは周囲の強力な磁界や電界によって発散するおそれがあるため仮定着ローラ５６によって用紙４４に付着した偏向トナーを仮定着する。ただ、この状態では、偏向トナーの向く方向が不規則であるので、再度偏向トナーを融解させ、磁界発生部５８によって磁力を偏向トナーに加えて一定方向に向くようにそろえる。そして、定着ローラ６０により再度定着させる。これにより、各偏向トナー部材２０，２６は、それぞれの偏向性を有効に発揮できるように定着される。なお、仮定着ローラ５６による仮定着に対し、本実施の形態では定着ローラ６０による定着を本定着と称する。
【００４７】
以上のようにして、プリンタ４は、図７（ｃ）に示したような立体画像を印刷することになる。前述したように、図７（ｃ）に示した印刷物を右目だけで見ると図７（ｄ）に示したように見え、左目だけで見ると図７（ｂ）に示したように見える。つまり、左右それぞれの目で見る画像には若干のずれがあるので、この若干違った印刷物を見ることにより、目が錯覚を起こす。これにより、更に見る角度により見える色素量が変化することにより、図７（ａ）に示したように平面上に印刷された被写体は、立体的に見えることになる。
【００４８】
本実施の形態によれば、上記説明したように、トナーに偏向性を持たせたことで目の錯覚を利用することができ、これにより、印刷物に対して特殊な加工を施したり、専用の眼鏡を用いずに両目共裸眼で見せたときでも平面上に印刷された画像を立体画像と認識させることができる。
【００４９】
なお、本実施の形態では、偏向着色材として偏向トナーを例にして説明したが、同様の偏向性を持たせた偏向インクであってもよい。
【００５０】
また、用紙４４に仮定着させた偏向トナーを一定方向に整列させるために、本実施の形態では、偏向トナーに磁性材を内在させると共に、プリンタ４に磁界発生部５８を設けて磁力という外力を偏向トナーに加えるようにしたが、レーザ、光、熱等の外的要因によって整列させるような構成としてもよい。
【００５１】
実施の形態２．
上記実施の形態１では、偏向トナーを用紙に定着する形式にプリンタについて説明した。本実施の形態では、熱転写フィルムに偏向性を持たせたことを特徴とする。
【００５２】
図１１は、本発明に係る立体画像印刷データ生成装置及び立体画像印刷装置の一実施の形態を有するネットワークシステムの概略的な全体構成図である。本実施の形態では、熱転写フィルムを用紙４４に転写することで印刷を行うことから実施の形態１が持つ仮定着ローラ５６、磁界発生部５８、定着ローラ６０は不要であり、偏向トナー付着部５２に代えて偏向フィルム転写部６２を設けた構成を有している。また、図示していないものの偏向性を有しない通常のトナーを付着させる通常トナー付着部を設けていたように、本実施の形態においても偏向性を有しない通常の熱転写フィルムを転写する通常フィルム転写部を設けている。
【００５３】
本実施の形態において扱う偏向熱転写フィルムの基本的な構成は、実施の形態１で用いた偏向トナーと同等であり、用紙４４に転写されたときに、右目のみで視認できるような偏向性を有する右目用偏向フィルム部材と、左目のみで視認できるような偏向性を有する左目用偏向フィルム部材とを有している。この右目用と左目用のフィルム部材を組にして各色毎に用意されている。図１１には、各フィルム部材が巻き回されたフィルム６４が示されている。なお、図１１では、各フィルム６４の配色及び右目用又は左目用がわかるように符号を割り付けた。すなわち、符号６４に続くｙ，ｍ，ｃ，ｋでイエロー（Ｙ）、マゼンタ（Ｍ）、シアン（Ｃ）、黒（Ｋ）という各基本色を示し、これに続くｒ，ｌで右目用又は左目用を示している。例えば、フィルム６４ｙｌというのは、イエローで右目用のフィルムを意味する。
【００５４】
本実施の形態における動作について説明するが、立体画像印刷データ生成装置２における動作は実施の形態１と同じであるため説明を省略する。つまり、立体画像印刷データ生成装置２によって生成される立体画像印刷データは、用紙４４に印刷される材料によって異ならない。
【００５５】
プリンタ４に関してもほぼ同様でよく、トナーを熱転写フィルムと読み替えればよい。すなわち、印刷制御処理部５０は、通信処理部４８が受信した印刷要求を受け取ると、立体画像印刷データに含まれている画素データの設定内容を参照に、偏向フィルム転写部６２あるいは偏向性を有しない通常の熱転写フィルムを転写させる通常フィルム転写部（図示せず）に指示を出すことによって、対応する用紙上の位置にフィルムを転写させる。ここで、画素データに色情報等が設定されていることにより熱転写フィルムを転写する必要があるとき、画素データの色情報に基づきフィルム色を決定すると共に偏向情報に基づき使用するフィルムを決定する。
【００５６】
すなわち、図７に基づくと、印刷制御処理部５０は、画素データに偏向情報が設定されていない通常印刷領域３４には通常フィルムを転写させる。この用紙４４に対して熱転写フィルムを転写した状態を図１２に示す。また、画素データに右目用を示す偏向情報が設定されていたとき、印刷制御処理部５０は、偏向フィルム転写部６２に、指定された量で指定された色の右目用偏向フィルム部材を用紙４４に転写させる。例えば、画素データの色情報にイエローと指定されていれば、対応するフィルム６４ｙｒが転写に用いられることになる。この偏向フィルム転写部６２によって転写される領域は、右偏向印刷領域３４ｒである。従って、図１２に示したように右目用偏向フィルム部材７０は、通常フィルム６６の右側に隣接して転写される。同様に、画素データに左目用を示す偏向情報が設定されていたとき、印刷制御処理部５０は、偏向フィルム転写部６２に、指定された量で指定された色の左目用偏向フィルム部材を用紙４４に転写させる。例えば、画素データの色情報にシアンと指定されていれば、対応するフィルムｃｌが転写に用いられることになる。この偏向フィルム転写部６２によって転写される領域は、左偏向印刷領域３４ｌである。従って、図１２に示したように左目用偏向フィルム部材６８は、通常フィルム６６の左側に隣接して転写される。
【００５７】
以上のようにして、プリンタ４は、図７（ｃ）に示したような立体画像を印刷することになり、実施の形態１と同じ効果を奏することができる。
【００５８】
実施の形態３．
上記実施の形態２では、有着色材の偏向フィルム部材を用いたが、本実施の形態では、無着色材である偏向フィルム部材を用いることを特徴としている。図１３は、本実施の形態におけるネットワークシステムの概略的な全体構成図であり、実施の形態２とは偏向フィルム転写部７６の構成が異なっている。なお、実施の形態３では図示していなかった通常フィルム転写部７２を、本実施の形態では図示した。通常フィルム転写部７２は、従来からある偏向性を有していない各色対応のフィルム７４ｙ，７４ｍ，７４ｃ，７４ｋを有している。本実施の形態における偏向フィルム転写部７６は、無着色材である右目用偏向フィルム７８ｒと左目用偏向フィルム７８ｌとを有している。
【００５９】
ここで、本実施の形態における動作について説明するが、本実施の形態は、実施の形態２と通常フィルムの転写範囲のみが異なるだけなので、この通常フィルム転写部７２における転写範囲を決定する印刷制御処理部５０における処理に着目して説明する。
【００６０】
印刷制御処理部５０は、通信処理部４８が受信した印刷要求を受け取ると、立体画像印刷データに含まれている画素データの設定内容を参照に、通常フィルム転写部７２及び偏向フィルム転写部７６に指示を出すことによって、対応する用紙上の位置にフィルムを転写させる。ここで、印刷制御処理部５０は、偏向情報への設定の有無及び右目用又は左目用の設定によって転写するフィルム色及び各フィルムの転写範囲を決定するが、実施の形態２では、偏向情報に右目用と設定されていれば右目用の、偏向情報に左目用と設定されていれば左目用の、設定されていなければ通常のフィルムをそれぞれ転写させていた。本実施の形態における印刷制御処理部５０は、偏向情報への設定の有無に関係なく画素データの色情報等に基づき転写すべき範囲に偏向性を有しない通常のフィルム７４を通常フィルム転写部７２に転写させる。この用紙４４に対して熱転写フィルムを転写した状態を図１４に示す。その後は、実施の形態２と同様に偏向情報に従い各偏向フィルム７８ｒ，７８ｌを偏向フィルム転写部７６に転写させる。本実施の形態の場合、図１４に示したように、各偏向フィルム７８ｒ，７８ｌは、通常のフィルム７４に重畳されて各偏向印刷領域３４ｒ，３４ｌに転写されることになる。
【００６１】
このように、本実施の形態における偏向フィルム部材は、無着色材であることから色は提供せずに偏向性という機能のみを提供することになる。以上のようにして、本実施の形態におけるプリンタ４は、図７（ｃ）に示したような立体画像を印刷することになり、実施の形態１，２と同じ効果を奏することができる。
【００６２】
なお、上記実施の形態２では、通常フィルム転写部と偏向フィルム転写部による転写の順に先後の制限はないが、本実施の形態では、通常フィルム転写部によって通常のフィルムが先に転写されていなければならない。
【００６３】
また、上記各実施の形態における立体画像印刷データ生成装置２及びプリンタ４で実行される処理機能は、当該処理機能を有するアプリケーションプログラムを各装置のＣＰＵに実行させることで実現できる。これらのプログラムを同じ又は別個に記録する記録媒体としては、例えば、磁気ディスク、光ディスク、ＣＤ−ＲＯＭ、コンピュータに内蔵されるメモリなどである。
【００６４】
【発明の効果】
本発明によれば、偏向着色材、偏向熱転写フィルムに偏向性を持たせ、目の錯覚を利用することで、印刷物に対して特殊な加工を施したり、専用の眼鏡を用いずに両目共裸眼で見せたときでも平面上に印刷された画像を立体的に見せることができる。
【図面の簡単な説明】
【図１】本発明に係る立体画像印刷データ生成装置及び立体画像印刷装置の各実施の形態１を有するネットワークシステムの概略的な全体構成図である。
【図２】実施の形態１における右目用偏向トナー部材の側面図と正面図である。
【図３】実施の形態１における左目用偏向トナー部材の側面図である。
【図４】実施の形態１における球状の右目用偏向トナー部材の側面図と正面図である。
【図５】実施の形態１における球状の左目用偏向トナー部材の側面図である。
【図６】実施の形態１における他の偏向トナー部材を示した概念図である。
【図７】実施の形態１において被写体とその被写体の実際の印刷物と、その印刷物を右目及び左目で見たときの概念図である。
【図８】実施の形態１における立体画像印刷データ生成装置が実施するデータ生成処理についてを示したフローチャートである。
【図９】実施の形態１において被写体のカメラによる撮像風景を示した概念図である。
【図１０】実施の形態１における立体画像印刷データのデータ構成を示した図である。
【図１１】本発明に係る立体画像印刷データ生成装置及び立体画像印刷装置の実施の形態２を有するネットワークシステムの概略的な全体構成図である。
【図１２】実施の形態２において用紙に熱転写フィルムが転写された状態を示した図である。
【図１３】本発明に係る立体画像印刷データ生成装置及び立体画像印刷装置の実施の形態３を有するネットワークシステムの概略的な全体構成図である。
【図１４】実施の形態３において用紙に熱転写フィルムが転写された状態を示した図である。
【符号の説明】
２  立体画像印刷データ生成装置、４  プリンタ、６  ＰＣ、８  ネットワーク、１０  右目対応カメラ、１２  左目対応カメラ、２０，３０  右目用偏向トナー部材、２２  磁性材、２４  右目用偏向性フィルタ、２６  左目用偏向トナー部材、２８  左目用偏向性フィルタ、３２  被写体、３４  通常印刷領域、３４ｌ  左偏向印刷領域、３４ｒ  右偏向印刷領域、４２，４６  搬送ローラ、４４  用紙、４８  通信処理部、５０  印刷制御処理部、５２  偏向トナー付着部、５２ａ〜５２ｈ  トナーカートリッジ、５４  立体画像データ処理部、５６  仮定着ローラ、５８  磁界発生部、６０  定着ローラ、６２，７６  偏向フィルム転写部、６４，７４  フィルム、６６  通常フィルム、６８  左目用偏向フィルム部材、７０  右目用偏向フィルム部材、７２  通常フィルム転写部、７８ｒ右目用偏向フィルム、７８ｌ  左目用偏向フィルム。
【図１】
2004287157.tif 000003
【図２】
2004287157.tif 000004
【図３】
2004287157.tif 000005
【図４】
2004287157.tif 000006
【図５】
2004287157.tif 000007
【図６】
2004287157.tif 000008
【図７】
2004287157.tif 000009
【図８】
2004287157.tif 000010
【図９】
2004287157.tif 000011
【図１０】
2004287157.tif 000012
【図１１】
2004287157.tif 000013
【図１２】
2004287157.tif 000014
【図１３】
2004287157.tif 000015
【図１４】
2004287157.tif 000016